(57)【要約】【課題】世話がし易く経済的な乳幼児二人用のベビーベッドを提供する。【解決手段】高さの中間に床板を位置させ四方を多数の縦桟を有する枠で囲ったベビーベッドが一般に使用されている。本発明は、左妻枠３と右妻枠４を長くして、乳幼児を二人並べて寝かせることができるスペースとし、その中間に仕切りとして中枠５を固設している。そして、左妻枠３または右妻枠４のいずれかを中枠５を境として前後に分割するとともに、上下に分割してその上部側を開放可能としている。さらに、前枠１および後枠２を上下に分割してその上部側を開放可能としている。また、中枠５は、脱着可能で取り外して成長した子供の一人用のベッドに組み替えることができる。【選択図】 図１
2011083311.tif 000002
【特許請求の範囲】
【請求項１】
矩形の床板を高さの中間に位置させて四方を前枠と後枠と左妻枠と右妻枠とで囲ったベビーベッドにおいて、左妻枠および右妻枠は乳幼児を二人寝かせることができる長さとして、その中間に前枠と平行に中枠を固設し、左妻枠または右妻枠のいずれかを中枠を境として前後に分割するとともに、上下に分割してその上部側を開放可能とし、さらに、該前枠、後枠の両方を上下に分割してその上部側を開放可能としたことを特徴とするベビーベッド。
【請求項２】
前記中枠は、左妻枠および右妻枠の長さの中間位置に設けた中柱に脱着可能に固設され、中枠を取り外して一人用のベッドに組み替え可能としたことを特徴とする請求項１記載のベビーベッド。
【発明の詳細な説明】
【技術分野】
【０００１】
本発明は床板を高さの中間に位置させて四方を枠で囲った二人用のベビーベッドに関するものである。
【背景技術】
【０００２】
床板を高さの中間に位置させて、四方を木製の柵である前枠、後枠、左妻枠、右妻枠で囲い、乳児の世話がしやすいように、左妻枠または右妻枠を上下に分割して上部側を開放できるようにしたものが古くから使用されている（例えば、特許文献１参照）。
ところで、ベビーベッドには双子用というものが存在していないので、双子など乳幼児が二人いる場合には、上記のベビーベッドを２台購入して使用している。
【先行技術文献】
【特許文献】
【０００３】
【特許文献１】実開昭６２−２０５５２
【発明の開示】
【発明が解決しようとする課題】
【０００４】
特許文献１に示される一人用のベビーベッドを２台使用する場合は、費用が２倍かかるのみならず、乳幼児の世話がしづらいという問題がある。すなわち、通常、２台のベビーベッドをくっつけて並置しているので、乳幼児を世話するときは、一方の乳幼児は、前枠の上部を解放して行い、他方の乳幼児のときは後ろ側へ移動しなければならない。
特に、双子の場合はほぼ同じ時期に同じ内容の世話をしなければならないことが多いので、移動距離が多いと、大変である。
【０００５】
そこで、本発明は、世話がし易く経済的な乳幼児二人用のベビーベッドを提供することを目的としている。
【課題を解決するための手段】
【０００６】
上記の目的を達成するため、本発明のベビーベッドは、次の手段を採った。すなわち、
矩形の床板を高さの中間に位置させて四方を前枠と後枠と左妻枠と右妻枠とで囲ったベビーベッドにおいて、左妻枠および右妻枠は乳幼児を二人寝かせることができる長さとして、その中間に前枠と平行に中枠を固設し、左妻枠または右妻枠のいずれかを中枠を境として前後に分割するとともに、上下に分割してその上部側を開放可能とし、さらに、該前枠、後枠の両方を上下に分割してその上部側を開放可能としたことを特徴としている。
【０００７】
ベビーベッドの床板の広さは、一人用のベビーベッドのほぼ２倍とする。そのために、左妻枠および右妻枠の長さを、一般的な一人用のベビーベッドの長さ（約６００ｍｍ）の２倍とする。
前枠と後枠は、縦方向に所定間隔で多数の桟が並設されている柵状のものとするが、左妻枠および右妻枠は、柵状としなくてもよい。
前枠と後枠は、上下に分割して上部側を開放可能とする。この手段は、上部側を上下にスライドできるようにするか、蝶番で連結して上部側を手前に開放できるようにすればよく、いずれかに限定しない。
【０００８】
左妻枠または右妻枠のいずれかは、前後に分割するとともに上下に分割されている。そして、上部側を開放できるようにする。この手段は上記の前枠や後枠と同じでよい。
中枠は、ベッドを中央から分割するためのもので、床板から上部側に設けれるだけでよい。また、請求項２に記載のように、左妻枠および右妻枠の長さの中間位置に中柱を設けて、これにネジで取付けるのが望ましい。
そして、子供が成長し使用しなく成ったときには、中枠を取り外して一人用のベッドとしたり、さらに、床板と棚板も取り外してサークルとして使用すればよい。
【発明の効果】
【０００９】
上記のように、本発明のベビーベッドは、左妻枠および右妻枠は乳幼児を二人寝かせることができる長さとして、その中間に前枠と平行に中枠を固設し、左妻枠または右妻枠のいずれかを中枠を境として前後に分割するとともに、上下に分割してその上部側を開放可能とし、さらに、該前枠、後枠の両方を上下に分割してその上部側を開放可能としたので、一人用のベビーベッド２台の場合に比べて部材が少なくなり、かなり、安価なものとすることができる。また、妻枠の上部側の開放ができるので、２人の乳幼児の世話をほぼ同時にできる。したがって、一般家庭のみならず、保育園や病院の産科などで使用する場合にも適している。
【００１０】
また、請求項２に記載のように、中枠を脱着可能にすれば、これを取り外して一人用のベッドに組み替えができ、さらには、床板と棚板を取り外してサークルとして使用することもできる。
【図面の簡単な説明】
【００１１】
【図１】本発明のベビーベッドの実施の形態を示す斜視図である。
【図２】同  前枠と後枠の上部側を開放した状態を示す斜視図である。
【図３】同  左妻枠の上部側を前後とも開放した状態を示す斜視図である。
【図４】同  中枠を取り外し、一人用のベッドとした状態を示す斜視図である。
【図５】同  中枠、床板、棚板を取り外し、サークルとした状態を示す斜視図である。
【発明を実施するための形態】
【００１２】
以下、本発明のベビーベッドの実施の形態について、図面に基づいて説明する。
図１〜図５は本発明の実施の形態を示すもので、図１はベビーベッドの全体を示す斜視図、図２および図３は使用状態を示す斜視図、図４および図５は他用途に組み替えて使用したときの斜視図である。
【００１３】
このベビーベッドは、高さの中間位置に床板６を水平に設け、その四方を前枠１と後枠２と左妻枠３と右妻枠４とを立設して囲い、中枠５で仕切って床板６のスペースを２分割している。そして、枠下端に棚板７を設け、下端にキャスター９を備えている。
なお、このベビーベッドは各部材をネジで結合して組立てるようにしており、搬送するときは所定の大きさの段ボールに収納できるように構成されている。
【００１４】
床板６は、板材を複数並べた９００ｍｍ×１２００ｍｍの矩形の大きさのものであり、中枠５によって中央から仕切られ、それぞれ、６００ｍｍ×９００ｍｍの大きさとなっている。
【００１５】
前枠１と後枠２は、ここでは同じものとしており、上下に分割された長方形状の枠であって、枠内には縦方向に所定間隔で多数の桟が並設されている。そして、上部側は下方へスライドして開放できるようにしており、上端部には開放および閉鎖するための係止金具が付設されている。そして、下部側は固定されており、その中央部には手前に引くことによって開く開閉扉１ａが設けられている。なお、図２では、前枠１と後枠２の両方の上部側を開放した状態を示している。
【００１６】
左妻枠３は、前後に分割された前妻枠３Ａと後妻枠３Ｂからなり、中央位置には左中柱３Ｃが設けられている。前妻枠３Ａと後妻枠３Ｂは、それぞれ上下に分割された長方形状の枠であって、枠内には縦方向に所定間隔で多数の桟が並設されている。そして、上部側は下部側に蝶番８で取り付けられており、手前へ倒して開放できるようにしている。なお、上端部には開放および閉鎖するための係止金具が付設されている。
【００１７】
右妻枠４は、左妻枠３と異なり、前後左右いずれにも分割されてない長方形状の枠であって、枠内には縦方向に所定間隔で多数の桟が並設され、中央位置には右中柱４Ｃが設けられている。
また、中枠５は、床板６から上部に取付けられる長方形状の枠であって、枠内には縦方向に所定間隔で多数の桟が並設されている。両端は、左妻枠３および右妻枠４の左中柱３Ｃと右中柱４Ｃにボルトで取付けられている。
【００１８】
次に、上記のように構成されたベビーベッドを使用する場合について、説明する。
このベビーベッドは、右妻枠４が壁近くに位置するように設置し（なお、下端にキャスター９を備えているので、軽く押すだけて移動できる）、床板６上に布団等を敷き、中枠５で仕切られた前後のベッドそれぞれに乳幼児を寝かせる。そして、床板６の下方のスペースには、肌着やおむつ等のベビー用品を収納する。なお、これの収納や取出しは、開閉扉１ａから行う。
【００１９】
そして、乳幼児を世話するときは、前枠１、後枠２、前妻枠３Ａ、後妻枠３Ｂのいずれか任意の上部側を開放して行えばよい。二人同時期に世話しなければならないときは、前妻枠３Ａおよび後妻枠３Ｂの両方の上部側を開放（図３参照）して行うとよい。
【００２０】
また、乳幼児が成長したときは、中枠５を取り外して（図４参照）、床面積を大きくしてベッドとして使用することができる。
さらに、この状態から床板６、棚板７およびキャスター９を取り外して（図５参照）、サークルとして使用することもできる。
【符号の説明】
【００２１】
１  前枠
１ａ  開閉扉
２  後枠
３  左妻枠
３Ａ  前妻枠
３Ｂ  後妻枠
３Ｃ  左中柱
４  右妻枠
４Ｃ  右中柱
５  中枠
６  床板
７  棚板
８  蝶番
９  キャスター
【図１】
2011083311.tif 000003
【図２】
2011083311.tif 000004
【図３】
2011083311.tif 000005
【図４】
2011083311.tif 000006
【図５】
2011083311.tif 000007